(57)【特許請求の範囲】
【請求項１】
一定の範囲を回動可能に配置した操作ハンドルをリンク機構を介して結束装置に作動連結させ、操作ハンドルを回動して結束装置を作動させることにより、結束機本体に装填した門形のクリップの脚片で所定位置に設けられた収納袋の首部を結束する袋結束機において、上記操作ハンドルを戻しバネにより常時復帰方向に付勢し、上記収納袋を結束した後に操作ハンドルを戻しバネにより初期位置に復動させるときに、上記操作ハンドルが、その慣性によって初期位置を越えて移動するのを停止させる弾性体を設けるとともに、操作ハンドルの回動軸に固定されたリンクプレートに設けられた軸体を、リンク機構を構成する１つのリンクに設けられた長孔に摺動自在に係合させ、操作ハンドルが初期位置を越えて戻るときは、上記軸体が上記長孔に沿って摺動することによって、操作ハンドルと上記リンク機構との係合が外れるようにしたことを特徴とする袋結束機における操作ハンドルの緩衝機構。
【発明の詳細な説明】
【０００１】
【発明の属する技術分野】
本発明は、操作ハンドルを手動操作することにより商品を入れた収納袋の口部をクリップで結束する袋結束機において、操作ハンドルの復帰作動による衝撃を緩和する袋結束機における操作ハンドルの緩衝機構に関する。
【０００２】
【従来技術】
商品を入れたポリエチレン等の収納袋の口を閉じるのに、収納袋の首部をプラスチック製のクリップで結束する収納袋結束機が使用されている。これは、特開平１０ー１６７２３３号公報に示されるように、収納袋の首部が案内通路の端部に導入されたときに、送り装置が作動して収納袋の首部を門形のクリップの脚片で挟むことができるように送り込むとともに、上記脚片を上下に重ね、さらに送り込まれたクリップの脚片の先端を結束部（かしめ部）のかしめ装置でかしめて結束するようにしたものである。
【０００３】
なお、送り装置の詳細は特開平１０ー２０３５０９号公報の図５、図６等に、またかしめ装置は特開平１０ー１６７２３２号公報や特願平１１−６７４５２号に示されている。
【０００４】
ところで、手動によって上記クリップの送り装置とかしめ装置とを作動させる場合は、手動式の場合は特願平１１−６７４５２号に示されているように、操作ハンドルの回動操作に連動して上記各装置が作動するように構成されている。
【０００５】
上記操作ハンドルは一定の範囲を回動可能に配置され、特願平１１−６７４５２号に示されているようにリンク機構を介して送り装置に連結され、かしめ装置にも間接的に連結されている。そして、上記操作ハンドルを往動させることで送り装置とかしめ装置を作動させるように構成されている。そして、操作ハンドルは戻しバネにより常時復動側に移動するように付勢されている。操作ハンドルの復動は戻しバネにより行なわれるから、操作者は操作ハンドルを往動させるだけでよく、操作が楽であった。
【０００６】
【発明が解決しようとする課題】
しかしながら、リンク機構を構成するリンクは一定の範囲で作動するので、操作ハンドルの回動範囲もリンク機構の作動範囲に規制される。このため、操作ハンドルを往動させて袋を結束した後、操作ハンドルから手を離すと、戻しバネにより復動した操作ハンドルはリンク機構の作動端で急激に停止することになるが、その衝撃がリンク機構にかかる。操作ハンドルは重いため、復動時の衝撃力や慣性力も大きく、リンク機構と送り装置との連結部まで大きな力が加わるため、各部が変形したり破損したり、あるいは袋結束機自体が移動するおそれがある。
【０００７】
本発明は上記問題点を解消し、上記衝撃を緩和して部品の変形や破損を防止することができる袋結束機における操作ハンドルの緩衝機構を提供することをその課題とする。
【０００８】
【課題を解決するための手段】
前記課題を解決するため、本発明に係る袋結束機における操作ハンドルの緩衝機構は、一定の範囲を回動可能に配置した操作ハンドルをリンク機構を介して結束装置に作動連結させ、操作ハンドルを回動して結束装置を作動させることにより、結束機本体に装填した門形のクリップの脚片で所定位置に設けられた収納袋の首部を結束する袋結束機において、上記操作ハンドルを戻しバネにより常時復帰方向に付勢し、上記収納袋を結束した後に操作ハンドルを戻しバネにより初期位置に復動させるときに、上記操作ハンドルが、その慣性によって初期位置を越えて移動するのを停止させる弾性体を設けるとともに、操作ハンドルが初期位置を越えて戻るときは、操作ハンドルと上記リンク機構との連動を長孔における遊動を介して解除して該操作ハンドルとリンク機構の係合が外れるようにしたことを特徴とする。
【０００９】
【発明の実施の形態】
図１は本発明に係る手動式袋結束機の概要を示す斜視図である。同図において結束機は結束機本体１と、支柱２と、ベース３とから構成され、結束機本体１の案内路６から商品の収納袋５を挿入し、支柱２に設けられた操作ハンドル４を往復動させることにより、図８に示されるようにクリップａで商品の収納袋５の首部５ａを結束するものである。
【００１０】
結束機本体１は盤状に形成され、前部一側から中央前部にかけて収納袋５の首部５ａを案内する案内路６が形成され、案内路６をはさんで後部には送り装置７、前部にはかしめ装置８が設けられている。これらの送り装置７とかしめ装置８とによって結束装置が構成されている。
【００１１】
クリップａは図７に示されるように、プラスチックシートにより門形に形成され、両側に脚片９を有し、脚片９には係合穴１０が形成されている。全体としてテープ状に連結され、ロール状に巻装されている。
【００１２】
送り装置７は上記クリップテープの先頭のクリップａの脚片９の係合穴１０に係合ピン（図示せず）を係合させてクリップａ１枚分だけかしめ装置８に送った後に、両側の係合ピンを寄せて先頭のクリップａの脚片９を交差させるものである。かしめ装置８は、交差した脚片９の一方から他方にかしめピン（図示せず）を押し込んで上下の脚片９を強くかしめて一体に結合させて首部を結束させるものである。
【００１３】
なお、送り装置７は特開平１０ー２０３５０９号公報等に、またかしめ装置８は特開平１０ー１６７２３２号公報や特願平１１−６７４５２号に示されているので、ここでは詳しい説明を省略するが、要するに操作ハンドル４によって結束機本体に設けられたキャリア１１（図３参照）を水平に移動させ、この水平移動を利用して送り装置７とかしめ装置８とを作動させるように構成されている。
【００１４】
キャリア１１は図２に示されるリンク機構１２を介して操作ハンドル４に連結されている。リンク機構１２は中空状の支柱２内に収納され、操作ハンドル４は支柱２の外部にはみ出している。
【００１５】
すなわち、リンク機構１２はリンクＡとリンクＢとリンクＣとをＹ字形に連結したもので、上部のリンクＡの端部はキャリア１１の下部に設けられた連結片１３に回動自在に連結され、リンクＢの端部は支柱２の上部後方位置に固定された固定片２３に回動自在に配置されている。リンクＡとリンクＢとによりトグルリンクが構成されている。リンクＡの端部は戻しバネ（引っ張りバネ）１３により常時後方に付勢されている。また、下部のリンクＣの下部には長孔１４が形成されている。長孔１４にはリンクプレート１５の一端に設けられた軸体１６が摺動自在に係合している。リンクプレート１５の他端は支柱２の左右両側壁に支持された回動軸１７に固定されている。回動軸１７は支柱２の一側壁から水平方向に突出し、突出した回動軸１７の端部は連結ブロック１８を介して操作ハンドル４と連結している。
【００１６】
また、上記リンクプレート１５の下部にはゴム製の弾性体１９が配置され、弾性体１９はベース３に固定された金具２０に取り付けられている。
【００１７】
上記構成によれば、操作ハンドル４を回動軸１７を介して前方に回動（往動）させると、図３のようにリンクプレート１５も回動するので、下部のリンクＣを押し上げるから、上部のリンクＡ、Ｂは前後に開き、キャリア１１は前方に移動する。この移動により送り装置７とかしめ装置８が作動し、袋５の結束は終了する。結束された収納袋は図８のようになる。
【００１８】
次に、操作ハンドル４から手を離すと、戻しバネ１３のバネ力が作用して図４に示すように、各リンク機構１２のリンクＡ、Ｂ、Ｃを元の位置に復帰させるので、リンクプレート１５も逆方向に回動し、同時に操作ハンドル４は初期位置側に回動（復動）する。そして、キャリア１１は初期位置で弾性材２１に当たって停止する。ところで、操作ハンドル４は慣性により急には停止できないので、初期位置で停止することはできず、リンクプレート１５が弾性体１９に当たる。弾性体１９は図５のように変形して当たったときの衝撃力を吸収し、ようやく停止し、その後図６のように弾性体１９の復元力により戻り、初期位置で停止する。
ところで、リンクプレート１５が初期位置を越えて回動するとき、リンクプレート１５の端部の軸体１６は下部のリンクＣの長孔１４に沿って移動するので、リンク機構１２に過度の力が加わることはない。
【００１９】
上述のように、操作ハンドル４が戻しバネ１３により復帰移動したときの衝撃力は弾性体１９により緩和されるとともに、操作ハンドル４の一体のリンクプレート１５が、図５に示すように、初期位置を越えて移動したときは、リンクプレート１５とリンク機構１２との係合関係は解除されるので、リンク機構１２を構成するリンクはリンクプレート１５から無理な力を受けることがない。したがって、操作ハンドル４の復動時の衝撃は弾性体１９によって吸収され、リンク機構には伝達されないから、効果的に緩和され、部品の変形や破損を有効に防止することができる。
【００２０】
また、操作ハンドル４の慣性力は低減され、慣性力による袋結束機自体の移動も抑制することができる。
【００２１】
なお、弾性体１９は操作ハンドル４の復動時の衝撃を緩和するものであるから、リンクプレート１５ではなく、操作ハンドル４を直接に受ける位置に配置してもよい。弾性体は回動軸の近くに配置するのが好ましい。なぜならば、弾性による跳ね返りが少なく、また操作ハンドルは回動軸の近くの方が速度が遅いからである。
【００２２】
また、リンクプレート１５と下部リンクＣとは、リンクプレート１５が初期位置を越えたときには下部リンクＣとの係合が外れるように構成すればよいのであり、軸と長孔１４を介して係合する例に限定されない。例えば、リンクプレートが初期位置を越えたときは、その端部が下部リンクから離れ、再び初期位置に戻ったときには下部リンクと係合するように構成してもよい。
【図面の簡単な説明】
【図１】本発明に係る手動式袋結束機の概要を示す斜視図
【図２】上記袋結束機の操作ハンドルの緩衝機構の要部を示す側面図
【図３】上記操作ハンドルを往動操作したときの側面図
【図４】上記操作ハンドルの復動時の側面図
【図５】上記操作ハンドルが初期位置を越えて移動した状態の側面図
【図６】上記操作ハンドルが初期位置に戻った状態の側面図
【図７】連結クリップの一部の斜視図
【図８】結束された状態の収納袋の斜視図
【符号の説明】
ａ  クリップ
４  操作ハンドル
５  収納袋
１９  弾性体
１２  リンク機構
１３  戻しバネ
【図１】
0004560926.tif 000002
【図２】
0004560926.tif 000003
【図３】
0004560926.tif 000004
【図４】
0004560926.tif 000005
【図５】
0004560926.tif 000006
【図６】
0004560926.tif 000007
【図７】
0004560926.tif 000008
【図８】
0004560926.tif 000009